(57)【要約】  【課題】装置の移動が容易に行なえてＲＩ分布画像の撮影場所の自由度を広げられるようにする。  【解決手段】この発明の装置は、γ線検出器１３が第１部分γ線検出部１３Ａ〜第３部分γ線検出部１３Ｃに三分割されていて、各部分γ線検出部１３Ａ〜１３Ｃを個別に搬送して被検体Ｍの周りに設定される三つの配置位置へ被検体Ｍを取り囲むかたちで設置できるので、γ線検出器が一つに纏まってガントリに配備されている従来の場合に比べ、装置を別のＲＩ分布画像の撮影場所へ容易に移動させられる。その結果、装置の移動が容易でＲＩ分布画像の撮影場所の自由度を広げることができる。【選択図】    図６
2007163373.tif 000002
【特許請求の範囲】
【請求項１】
（Ａ）被検体を間に挟んで設定される二つの配置位置へ個別に搬送される第１部分γ線検出手段と第２部分γ線検出手段に二分割され、被検体に投与された放射性同位元素（ＲＩ）によって放出されるγ線を検出するγ線検出手段と、（Ｂ）被検体を間に挟む二つの配置位置に対向するかたちで設置された第１部分γ線検出手段と第２部分γ線検出手段から出力されるγ線検出信号を平面像タイプのＲＩ分布画像取得用エミッションデータとして収集する平面像用エミッションデータ収集手段と、（Ｃ）このエミッションデータ収集手段により収集されたエミッションデータに基づいて平面像タイプのＲＩ分布画像を取得する平面像用画像取得手段とを備えていることを特徴とする核医学診断装置。
【請求項２】
請求項１に記載の核医学診断装置において、第１部分γ線検出手段と第２部分γ線検出手段のうち少なくとも一方が被検体に離接する方向に進退可能である核医学診断装置。
【請求項３】
請求項１または２に記載の核医学診断装置において、第１部分γ線検出手段と第２部分γ線検出手段のうち少なくとも一方は、床面または天井面のいずれかを走行する台に搭載されている核医学診断装置。
【請求項４】
（ａ）被検体の周りに設定される複数の配置位置へ別々に搬送される複数個の部分γ線検出手段に分割され、被検体に投与された放射性同位元素（ＲＩ）によって放出されるγ線を検出するγ線検出手段と、（ｂ）被検体の周りに設定される複数の配置位置に被検体を取り囲むかたちで設置された各部分γ線検出手段から出力されるγ線検出信号を断層像タイプのＲＩ分布画像取得用の断層像用エミッションデータを収集するエミッションデータ収集手段と、（ｃ）このエミッションデータ収集手段により収集されたエミッションデータに基づいて断層像タイプのＲＩ分布画像を取得する断層像用画像取得手段とを備えている核医学診断装置。
【請求項５】
請求項４に記載の核医学診断装置において、γ線検出手段が３個以上の部分γ線検出手段に分割されているのに加えて、各部分γ線検出手段が床面または天井面のいずれかを走行する台に搭載されている核医学診断装置。
【請求項６】
請求項１から５のいずれかに記載の核医学診断装置において、被検体に投与される放射性同位元素がポジトロン型の放射性同位元素であって、エミッションデータ収集手段が、反対方向に進む消滅γ線がγ線検出手段によって同時に検出された時のγ線検出信号だけをエミッションデータとして収集する核医学診断装置。
【発明の詳細な説明】
【技術分野】
【０００１】
この発明は、被検体に投与された放射性同位元素（ＲＩ＝ラジオアイソトープ）によって放出されるγ線を検出してエミッションデータを収集すると共に収集したエミッションデータにしたがってＲＩ分布画像を取得する核医学診断装置に係り、特に装置の設置場所の自由度を増やして被検体の撮影場所の制限を緩めるための技術に関する。
【背景技術】
【０００２】
有用な核医学診断装置のひとつであるＰＥＴ（ポジトロン・エミッション・トモグラフィ）装置は、被検体に投与されたＲＩにより体外に放射される５１１ｋｅＶのエネルギーの消滅γ線を大型のガントリに収容されているリング状のγ線検出器により検出して３次元エミッションデータを収集すると共に、収集したエミッションデータに基づいて断層像タイプのＲＩ分布画像を取得する。ＰＥＴ装置の場合、具体的には、被検体に投与された11ＣなどのＲＩのポジトロンの消滅により同時に発生して反対方向へ向かって進む二つの消滅γ線が、シンチレータとフォトマルチプライヤ（光電子増倍管）等からなるγ線検出器で同時に検出された場合（γ線が同時計数された時）にエミッションデータの収集が行なわれる（例えば特許文献１を参照。）。
【０００３】
【特許文献１】特許第３４０４０８０号公報（３頁〜４頁，図１）
【発明の開示】
【発明が解決しようとする課題】
【０００４】
しかしながら、上記従来のＰＥＴ装置は、事実上、ＲＩ分布画像の撮影が装置の既設場所だけでしか行なえないという問題がある。もしＲＩ分布画像の撮影場所の自由度が広がれば、ＰＥＴ装置の有用性は一段と増すのであるが、大型のガントリの内にγ線検出器が収容された装置はいったん設置すると移動は殆ど不可能なので、従来のＰＥＴ装置の場合、ＲＩ分布画像の撮影場所が装置の既設場所に限られてしまうのである。
【０００５】
この発明は、このような事情に鑑みてなされたものであって、装置の移動が容易でＲＩ分布画像の撮影場所の自由度を広げることができる核医学診断装置を提供することを目的とする。
【課題を解決するための手段】
【０００６】
この発明は、このような目的を達成するために、次のような構成をとる。
すなわち、請求項１に記載の発明に係る核医学診断装置は、（Ａ）被検体を間に挟んで設定される二つの配置位置へ個別に搬送される第１部分γ線検出手段と第２部分γ線検出手段に二分割され、被検体に投与された放射性同位元素（ＲＩ）によって放出されるγ線を検出するγ線検出手段と、（Ｂ）被検体を間に挟む二つの配置位置に対向するかたちで設置された第１部分γ線検出手段と第２部分γ線検出手段から出力されるγ線検出信号を平面像タイプのＲＩ分布画像取得用エミッションデータとして収集する平面像用エミッションデータ収集手段と、（Ｃ）このエミッションデータ収集手段により収集されたエミッションデータに基づいて平面像タイプのＲＩ分布画像を取得する平面像用画像取得手段とを備えていることを特徴とするものである。
【０００７】
［作用・効果］請求項１の発明の核医学診断装置によりＲＩ分布画像の撮影を行なう場合、二分割されているγ線検出手段の第１部分γ線検出手段と第２部分γ線検出手段が被検体を間に挟んで設定された二つの配置位置へそれぞれ個別に搬送されて対向するかたちで設置される。こうして、γ線検出手段の設置が済んでＲＩ分布画像の撮影が始まると、被検体を間に挟む二つの配置位置に対向設置された第１部分γ線検出手段と第２部分γ線検出手段から出力されるγ線検出信号が平面像タイプのＲＩ分布画像取得用のエミッションデータとしてエミッションデータ収集手段により収集されると共に、エミッションデータ収集手段で収集されたエミッションデータに基づいて平面像タイプのＲＩ分布画像が平面像用画像取得手段により取得される。
【０００８】
すなわち、請求項１の発明の核医学診断装置の場合、γ線検出手段が第１部分γ線検出手段と第２部分γ線検出手段に二分割されていて、二つの第１部分γ線検出手段と第２部分γ線検出手段を個別に搬送して被検体を間に挟んで設定される二つの配置位置へ対向するかたちで設置できるので、γ線検出手段が一つに纏まってガントリに配備されている従来の場合に比べ、装置を別のＲＩ分布画像の撮影場所へ容易に移動させられる。
その結果、請求項１の発明の核医学診断装置によれば、装置の移動が容易でＲＩ分布画像の撮影場所の自由度を広げることができる。
【０００９】
また、請求項２に記載の発明は、請求項１に記載の核医学診断装置において、第１部分γ線検出手段と第２部分γ線検出手段のうち少なくとも一方が被検体に離接する方向に進退可能であるものである。
【００１０】
［作用・効果］請求項２の発明装置の場合、第１部分γ線検出手段と第２部分γ線検出手段の少なくとも一方を被検体に離接する方向に適当に進退させることにより、第１部分γ線検出手段や第２部分γ線検出手段と被検体との間隔や、あるいは、第１部分γ線検出手段と第２部分γ線検出手段との間隔を適当な間隔に調節できる。
【００１１】
また、請求項３に記載の発明は、第１部分γ線検出手段と第２部分γ線検出手段のうち少なくとも一方は、床面または天井面のいずれかを走行する台に搭載されているものである。
【００１２】
［作用・効果］請求項３の発明装置の場合、床面または天井面のいずれかを走行する台に搭載されている第１部分γ線検出手段ないし第２部分γ線検出手段は搬送が容易に行なえる。
【００１３】
さらに、この発明は、上記目的を達成するために、次のような構成をとる。
すなわち、請求項４に記載の発明に係る核医学診断装置は、（ａ）被検体の周りに設定される複数の配置位置へ別々に搬送される複数個の部分γ線検出手段に分割され、被検体に投与された放射性同位元素（ＲＩ）によって放出されるγ線を検出するγ線検出手段と、（ｂ）被検体の周りに設定される複数の配置位置に被検体を取り囲むかたちで設置された各部分γ線検出手段から出力されるγ線検出信号を断層像タイプのＲＩ分布画像取得用の断層像用エミッションデータを収集するエミッションデータ収集手段と、（ｃ）このエミッションデータ収集手段により収集されたエミッションデータに基づいて断層像タイプのＲＩ分布画像を取得する断層像用画像取得手段とを備えているものである。
【００１４】
［作用・効果］請求項４の発明の核医学診断装置によりＲＩ分布画像の撮影を行なう場合、複数に分割されているγ線検出手段の各部分γ線検出手段が被検体の周りに設定された複数の配置位置へそれぞれ個別に搬送されて被検体を取り囲むかたちで設置される。こうして、γ線検出手段の設置が済んでＲＩ分布画像の撮影が始まると、被検体を囲む複数の配置位置に集合設置された各部分γ線検出手段から出力されるγ線検出信号が断層像タイプのＲＩ分布画像取得用のエミッションデータとしてエミッションデータ収集手段により収集されると共に、エミッションデータ収集手段で収集されたエミッションデータに基づいて断層像タイプのＲＩ分布画像が断層像用画像取得手段により取得される。
【００１５】
すなわち、請求項４の発明の核医学診断装置の場合、γ線検出手段が複数の部分γ線検出手段に分割されていて、各部分γ線検出手段を個別に搬送して被検体の周りに設定される複数の配置位置へ被検体を取り囲むかたちで設置できるので、γ線検出手段が一つに纏まってガントリに配備されている従来の場合に比べ、装置を別のＲＩ分布画像の撮影場所へ容易に移動させられる。
その結果、請求項４の発明の核医学診断装置によれば、装置の移動が容易でＲＩ分布画像の撮影場所の自由度を広げることができる。
【００１６】
また、請求項５に記載の発明は、請求項４に記載の核医学診断装置において、γ線検出手段が３個以上の部分γ線検出手段に分割されているのに加えて、各部分γ線検出手段が床面または天井面のいずれかを走行する台に搭載されているものである。
【００１７】
［作用・効果］請求項５の発明装置の場合、３個以上に分割された各部分γ線検出手段が床面または天井面のいずれかを走行する台に搭載されているので、各部分γ線検出手段の搬送が容易に行なえる。
【００１８】
また、請求項６に記載の発明は、請求項１から５のいずれかに記載の核医学診断装置において、被検体に投与される放射性同位元素がポジトロン型の放射性同位元素であって、エミッションデータ収集手段が、反対方向に進む消滅γ線がγ線検出手段によって同時に検出された時のγ線検出信号だけをエミッションデータとして収集するものである。
【００１９】
［作用・効果］請求項６の発明装置の場合、エミッションデータ収集手段が被検体に投与された放射性同位元素から放出されるポジトロンの消滅に伴って生じて反対方向に進む消滅γ線がγ線検出手段により同時に検出された時のγ線検出信号だけをエミッションデータとして収集するので、被検体に投与されているポジトロン型の放射性同位元素についてのＲＩ分布画像を撮影することができる。
【発明の効果】
【００２０】
請求項１の発明の核医学診断装置は、γ線検出手段が第１部分γ線検出手段と第２部分γ線検出手段に二分割されていて、二つの第１部分γ線検出手段と第２部分γ線検出手段を個別に搬送して被検体を間に挟んで設定される二つの配置位置へ対向するかたちで設置できるので、γ線検出手段が一つに纏まってガントリに配備されている従来の場合に比べ、装置を別のＲＩ分布画像の撮影場所へ容易に移動させられる。
よって、請求項１の発明の核医学診断装置によれば、装置の移動が容易でＲＩ分布画像の撮影場所の自由度を広げることができる。
【００２１】
請求項４の発明の核医学診断装置は、γ線検出手段が複数の部分γ線検出手段に分割されていて、各部分γ線検出手段を個別に搬送して被検体の周りに設定される複数の配置位置へ被検体を取り囲むかたちで設置できるので、γ線検出手段が一つに纏まってガントリに配備されている従来の場合に比べ、装置を別のＲＩ分布画像の撮影場所へ容易に移動させられる。
その結果、請求項４の発明の核医学診断装置によれば、装置の移動が容易でＲＩ分布画像の撮影場所の自由度を広げることができる。
【実施例１】
【００２２】
請求項１の発明に係る実施例１のポジトロン型核医学診断装置を説明する。図１は実施例１のポジトロン型核医学診断装置（以下、適宜「装置」と略記）の全体構成を示すブロック図、図２は実施例１の装置のγ線検出器の設置状況を示す模式図である。
【００２３】
実施例１の装置は、図１に示すように、第１部分γ線検出部１Ａと第２部分γ線検出部１Ｂに二等分割されているγ線検出器１を備えている。γ線検出器１は、第１部分γ線検出部１Ａと第２部分γ線検出部１Ｂが、図２に示すように、被検体Ｍを間に挟んで設定される二つの配置位置へ個別に搬送されて対向するかたちで設置され、被検体Ｍに投与されたポジトロン型の放射性同位元素（ＲＩ）によって放出されるγ線を検出する。実施例１の装置のγ線検出器１は、入射γ線を光に変換するシンチレータの後にシンチレータから放出される光を電気に変換して出力するフォトマルチプライヤを配置した構成であるのに加え、図面に垂直な方向に多段に続いている２次元検出器である。
【００２４】
実施例１の装置は、γ線検出器１の後段に、被検体Ｍを間に挟む二つの配置位置に対向するかたちで設置された第１部分γ線検出部１Ａと第２部分γ線検出部１Ｂから出力されるγ線検出信号を平面像タイプのＲＩ分布画像取得用エミッションデータとして収集する平面像用エミッションデータ収集部２と、このエミッションデータ収集部２により収集されたエミッションデータに基づいて平面像タイプのＲＩ分布画像を取得する平面像用画像取得部３を備えている他、取得したＲＩ分布画像や操作メニューを画面に映し出す表示モニタ４や装置の稼働に必要な指令やデータを入力する操作部５等を備えている。
【００２５】
平面像用エミッションデータ収集部２は、被検体Ｍに投与された放射性同位元素から放出されるポジトロンの消滅に伴って生じて反対方向に進む消滅γ線がγ線検出器１により同時に検出された時のγ線検出信号だけをエミッションデータとして収集する。つまり、反対方向に進む消滅γ線のうちの一方のγ線が第１部分γ線検出部１Ａで検出されると同時に、他方のγ線が第２部分γ線検出部１Ｂで検出された時のγ線検出信号だけがエミッションデータとして収集される。被検体Ｍに投与されるポジトロン型のＲＩとしては、11Ｃ，13Ｎ，15Ｏ，18Ｆなどが挙げられる。
【００２６】
平面像用画像取得部３は、平面像用エミッションデータ収集部２により収集されたエミッションデータを吸収補正などの必要な処理を施したりして平面像タイプのＲＩ分布画像に仕上げる。表示モニタ４が平面像用画像取得部３で取得された平面像タイプのＲＩ分布画像を画面に映し出すとＲＩ分布画像の撮影は完了することになる。
【００２７】
そして、実施例１の装置は、γ線検出器１が第１部分γ線検出部１Ａと第２部分γ線検出部１Ｂに二分割されていて、被検体Ｍを間に挟んで設定される二つの配置位置へ個別に搬送可能である点を構成上の特徴点としているので、以下、この特徴点をより具体的に説明する。
【００２８】
第１部分γ線検出部１Ａは、床を電動で走行する台車６に搭載されており、第２部分γ線検出部１Ｂは、床を手押しで走行する台車７に搭載されている。第１部分γ線検出部１Ａは台車６の電動走行によって容易に搬送でき、第２部分γ線検出部１Ｂは台車７の手押し走行によって容易に搬送できる。
なお、第２部分γ線検出部１Ｂも電動走行する台車に搭載されていてもよいし、逆に第１部分γ線検出部１Ａも手押し走行する台車に搭載されていてもよい。
【００２９】
第１部分γ線検出部１Ａは、図１に示すように、台車６の上に垂直に立設された支柱８から水平に伸びる支持ロッド９の先端に下向きに取り付けられているのに加え、第１部分γ線検出部１Ａは支持ロッド９ごと、支柱８に付設された昇降機構１０により、図１の中に矢印ＲＡで示すように、高さ方向（被検体Ｍに離接する方向）に上下移動可能（進退可能）な構成とされている。
第２部分γ線検出部１Ｂは、高さ方向に上下移動可能な構成ではないが、第２部分γ線検出部１Ｂも高さ方向に上下移動可能な構成であってもよい。
【００３０】
ＲＩ分布画像を撮影する場合、台車６，７を走行させて第１部分γ線検出部１Ａと第２部分γ線検出部１Ｂを撮影対象の被検体Ｍの居場所へ個別に搬送する。台車６は被検体Ｍが仰臥している寝台ＢＤの横に止めてから、第１部分γ線検出部１Ａを上下動させて被検体Ｍの正面上方の配置位置に設置する。台車６は寝台ＢＤの下に潜り込ませて、第２部分γ線検出部１Ｂを被検体Ｍの背面下方の配置位置に設置する。
このように、第１部分γ線検出部１Ａを高さ方向に適当に上下動させることにより、第１部分γ線検出部１Ａと被検体Ｍとの間隔や、あるいは、第１部分γ線検出部１Ａと第２部分γ線検出部１Ｂとの間隔を適当な間隔に調節することができる。こうしてＸ線検出器１の配置が済めば、必要に応じて被検体Ｍにポジトロン型のＲＩが投与されたりしてから、ＲＩ分布画像の撮影が始まる。
【００３１】
なお、主制御部１１は、コンピュータとその動作プログラムを中心に構成されていて、操作部５から入力される指令やＲＩ分布画像の撮影の進行状況に応じて、各部に命令やデータを送出して装置を正常に作動させる役割を果たすものである。
また、平面像用エミッションデータ収集部２〜操作部５などγ線検出部１の後段の構成部材の一部ないし全部は、例えば台車６に搭載されている構成であってもよいし、γ線検出部１とは別に搬送される構成であってもよい。
【００３２】
以上に述べたように、実施例１の装置は、γ線検出器１が第１部分γ線検出部１Ａと第２部分γ線検出部１Ｂに二分割されていて、第１部分γ線検出部１Ａと第２部分γ線検出部１Ｂを個別に搬送して被検体Ｍを間に挟んで設定される二つの配置位置へ対向するかたちで設置できるので、γ線検出器が一つに纏まってガントリに配備されている従来の場合に比べ、装置を別のＲＩ分布画像の撮影場所へ容易に移動させられる。
よって、実施例１のポジトロン型核医学診断装置によれば、装置の移動が容易でＲＩ分布画像の撮影場所の自由度を広げることができる。
【実施例２】
【００３３】
続いて、請求項１の発明に係る実施例２のポジトロン型核医学診断装置を説明する。図３は実施例２の装置の全体構成を示すブロック図、図４は実施例２の装置のγ線検出器の設置状況を示す模式図である。
実施例２の装置は、Ｘ線検出器１の代わりに、第２部分γ線検出部１Ｂを手持ちで搬送する構成としたＸ線検出器１２を用いる他は、実施例１の装置と同じであるから、共通点の説明は省略し、相違点のみを説明する。
【００３４】
実施例２の装置の場合、ＲＩ分布画像を撮影する時に、第２部分γ線検出部１Ｂを手持ちで撮影対象の被検体Ｍの居場所へ搬送し、寝台ＢＤの下のボードＢＤａの上に置いて、第２部分γ線検出部１Ｂを被検体Ｍの背面下方の配置位置に設置する。これ以外は、実施例１の装置の場合と全く同様である。
【実施例３】
【００３５】
次に、請求項４の発明に係る実施例３のポジトロン型核医学診断装置を説明する。図５は実施例３のポジトロン型核医学診断装置の全体構成を示すブロック図、図６は実施例３の装置のγ線検出器の設置状況を示す模式図である。
【００３６】
実施例３の装置は、第１部分γ線検出部１３Ａ〜第３部分γ線検出部１３Ｃに三等分割されている円筒状のγ線検出器１３を備えている。γ線検出器１３は、第１部分γ線検出部１３Ａ〜第３部分γ線検出部１３Ｃが、図６に示すように、被検体Ｍの周りに設定される三つの配置位置へ個別に搬送されて被検体Ｍを取り囲むかたちで設置され、被検体Ｍに投与されたポジトロン型の放射性同位元素（ＲＩ）によって放出されるγ線を検出する。実施例３の装置のγ線検出器１３も、入射γ線を光に変換するシンチレータの後にシンチレータから放出される光を電気に変換して出力するフォトマルチプライヤを配置した構成であるのに加え、図面に垂直な方向に多段に続いている構成の検出器である。
【００３７】
実施例３の装置は、γ線検出器１３の後段に、被検体Ｍの周りに設定される三つの配置位置に被検体Ｍを取り囲むかたちで設置された第１部分γ線検出部１３Ａ〜第３部分γ線検出部１３Ｃから出力されるγ線検出信号を断層像タイプのＲＩ分布画像取得用エミッションデータとして収集する断層像用エミッションデータ収集部１４と、このエミッションデータ収集部１４により収集されたエミッションデータに基づいて断層像タイプのＲＩ分布画像を取得する断層像用画像取得部１５を備えている他、取得したＲＩ分布画像や操作メニューを画面に映し出す表示モニタ１６や装置の稼働に必要な指令やデータを入力する操作部１７等を備えている。
【００３８】
断層像用エミッションデータ収集部１４も、実施例１の装置と同様、被検体Ｍに投与された放射性同位元素から放出されるポジトロンの消滅に伴って生じて反対方向に進む消滅γ線がγ線検出器１３により同時に検出された時のγ線検出信号だけをエミッションデータとして収集する。被検体Ｍに投与されるポジトロン型のＲＩとしては、やはり実施例１と同様のものが挙げられる。
【００３９】
断層像用画像取得部１５は、断層像用エミッションデータ収集部１４により収集されたエミッションデータを吸収補正やバックプロジェクションなどの必要な処理を施したりして断層像タイプのＲＩ分布画像に仕上げる。γ線検出器１３は円筒状で第１部分γ線検出部１３Ａ〜第３部分γ線検出部１３Ｃが被検体Ｍを取り囲むかたちで設置されるので、断層面のＲＩ分布が撮影できる。つまり、実施例３の装置はＰＥＴ（ポジトロン・エミッション・トモグラフィ）装置である。表示モニタ１６が断層像用画像取得部１５で取得された断層像タイプのＲＩ分布画像を画面に映し出すとＲＩ分布画像の撮影は完了することになる。
【００４０】
そして、実施例３の装置は、γ線検出器１３が第１部分γ線検出部１３Ａ〜第３部分γ線検出部１３Ｃに三分割されていて、被検体Ｍの周りに設定される三つの配置位置へ個別に搬送可能である点を構成上の特徴点としているので、以下、この特徴点をより具体的に説明する。
【００４１】
第１部分γ線検出部１３Ａは、床を電動で走行する台車１８に搭載されており、第２部分γ線検出部１３Ｂと第３部分γ線検出部１３Ｃは、床を手押しで走行する台車１９，２０に搭載されている。第１部分γ線検出部１３Ａは台車１８の電動走行によって容易に搬送でき、第２と第３の部分γ線検出部１３Ｂ，１３Ｃは台車１９，２０の手押し走行によって容易に搬送できる。
なお、第２部分γ線検出部１３Ｂや第３部分γ線検出部１３Ｃは電動走行する台車に搭載されていてもよいし、逆に第１部分γ線検出部１３Ａは手押し走行する台車に搭載されていてもよい。
【００４２】
第１部分γ線検出部１３Ａは、図５に示すように、台車１８の上に垂直に立設された支柱２１から水平に伸びる支持ロッド（図示省略）の先端に下向きに取り付けられているのに加え、第１部分γ線検出部１３Ａは支持ロッドごと、支柱２１に付設された昇降機構２２により、矢印ＲＢで示すように、高さ方向（被検体Ｍに離接する方向）に上下移動可能（進退可能）な構成とされている。
第２部分γ線検出部１３Ｂや第３部分γ線検出部１３Ｃは、高さ方向に上下移動可能な構成ではないが、これらも高さ方向に上下移動可能な構成であってもよい。
【００４３】
ＲＩ分布画像を撮影する場合、台車１８〜２０を走行させて第１部分γ線検出部１３Ａ〜第３部分γ線検出部１３Ｃを撮影対象の被検体Ｍの居場所へ個別に搬送する。台車１８は被検体Ｍが仰臥している寝台ＢＤの後側に止めてから、第１部分γ線検出部１３Ａを上下動させて被検体Ｍの正面上方の配置位置に設置する。台車１９は寝台ＢＤの右横に止めて、第２部分γ線検出部１３Ｂを被検体Ｍの右側方の配置位置に設置する。台車２０は寝台ＢＤの左横に止めて、第３部分γ線検出部１３Ｃを被検体Ｍの左側方の配置位置に設置する。
このように、第１部分γ線検出部１３Ａを高さ方向に適当に上下動させることにより、第１部分γ線検出部１３Ａと被検体Ｍとの間隔や、あるいは、第１部分γ線検出部１３Ａと他の部分γ線検出部１３Ｂ，１３Ｃとの間隔を適当な間隔に調節することができる。こうしてＸ線検出器１３の配置が済めば、必要に応じて被検体Ｍにポジトロン型のＲＩが投与されたりしてから、ＲＩ分布画像の撮影が始まる。
【００４４】
なお、主制御部２３は、コンピュータとその動作プログラムを中心に構成されていて、操作部１７から入力される指令やＲＩ分布画像の撮影の進行状況に応じて、各部に命令やデータを送出して装置を正常に作動させる役割を果たすものである。
また、断層像用エミッションデータ収集部１４〜操作部１７などγ線検出部１３の後段の構成部材の一部ないし全部は、例えば台車１８に搭載されている構成であってもよいし、γ線検出部１３とは別に搬送される構成であってもよい。
【００４５】
以上に述べたように、実施例３の装置は、γ線検出器１３が第１部分γ線検出部１３Ａ〜第３部分γ線検出部１３Ｃに三分割されていて、各部分γ線検出部１３Ａ〜１３Ｃを個別に搬送して被検体Ｍの周りに設定される三つの配置位置へ被検体Ｍを取り囲むかたちで設置できるので、γ線検出器が一つに纏まってガントリに配備されている従来の場合に比べ、装置を別のＲＩ分布画像の撮影場所へ容易に移動させられる。
よって、実施例３のポジトロン型核医学診断装置によれば、装置の移動が容易でＲＩ分布画像の撮影場所の自由度を広げることができる。
【実施例４】
【００４６】
続いて、請求項４の発明に係る実施例４のポジトロン型核医学診断装置を説明する。図７は実施例４の装置の全体構成を示すブロック図、図８は実施例４の装置のγ線検出器の設置状況を示す模式図である。
実施例４の装置は、円筒状のＸ線検出器１３の代わりに、第１部分γ線検出部２４Ａ〜第３部分γ線検出部２４Ｃに三等分割されている四角筒状のγ線検出器２４を備えている他は、実施例３の装置と同じであるから、共通点の説明は省略し、相違点のみを説明する。
【００４７】
実施例４の装置の場合、第１部分γ線検出部２４Ａは四角筒の上側面に対応する平らな形状であるが、第２部分γ線検出部２４Ｂと第３部分γ線検出部２４Ｃは四角筒の左右の側面の一方と下側面の半分に対応する直角に曲がった形である。第１部分γ線検出部２４Ａは被検体Ｍの正面上方の配置位置に設置し、第２部分γ線検出部２４Ｂは被検体Ｍの右側方の配置位置に設置する。第３部分γ線検出部２４Ｃは被検体Ｍの左側方の配置位置に設置する。これ以外は、実施例３の装置の場合と全く同様である。
【実施例５】
【００４８】
続いて、請求項４の発明に係る実施例５のポジトロン型核医学診断装置を説明する。図９は実施例５の装置の全体構成を示すブロック図、図１０は実施例５の装置のγ線検出器の設置状況を示す模式図である。
実施例５の装置は、円筒状のＸ線検出器１３の代わりに、第１部分γ線検出部２５Ａ〜第３部分γ線検出部２５Ｃに三等分割されている略三角筒状のγ線検出器２５を備えている他は、実施例３の装置と同じであるから、共通点の説明は省略し、相違点のみを説明する。
【００４９】
実施例５の装置の場合、第１部分γ線検出部２５Ａ〜第３部分γ線検出部２５Ｃはそれぞれ三角筒の一側面に対応する平らな形状である。第１部分γ線検出部２５Ａは被検体Ｍの正面上方の配置位置に設置し、第２部分γ線検出部２５Ｂは被検体Ｍの右側方の配置位置に設置する。第３部分γ線検出部２５Ｃは被検体Ｍの左側方の配置位置に設置する。これ以外は、実施例３の装置の場合と全く同様である。
【００５０】
この発明は、上記の実施例に限られるものではなく、以下のように変形実施することも可能である。
（１）実施例１〜５の場合、ポジトロン型の核医学診断装置であったが、この発明はＳＰＥＣＴ装置などポジトロン型の装置でない核医学診断装置にも適用できる。
【００５１】
（２）実施例３〜５の場合、γ線検出器が三分割される構成であったが、請求項４の発明も、γ線検出器が二分割される構成に適用することができる。
【００５２】
（３）実施例の場合、部分γ線検出部を搭載している台車はいずれも床面を走行するタイプであったが、部分γ線検出部を搭載する台車は天井面を走行するタイプであってもよい。
【図面の簡単な説明】
【００５３】
【図１】実施例１のポジトロン型核医学診断装置の全体構成を示すブロック図である。
【図２】実施例１の装置のγ線検出器の設置状況を示す模式図である。
【図３】実施例２のポジトロン型核医学診断装置の全体構成を示すブロック図である。
【図４】実施例２の装置のγ線検出器の設置状況を示す模式図である。
【図５】実施例３のポジトロン型核医学診断装置の全体構成を示すブロック図である。
【図６】実施例３の装置のγ線検出器の設置状況を示す模式図である。
【図７】実施例４のポジトロン型核医学診断装置の全体構成を示すブロック図である。
【図８】実施例４の装置のγ線検出器の設置状況を示す模式図である。
【図９】実施例５のポジトロン型核医学診断装置の全体構成を示すブロック図である。
【図１０】実施例５の装置のγ線検出器の設置状況を示す模式図である。
【符号の説明】
【００５４】
１，１２，１３，２４，２５            …γ線検出器
１Ａ，１２Ａ，１３Ａ，２４Ａ，２５Ａ  …第１部分γ線検出部
１Ｂ，１２Ｂ，１３Ｂ，２４Ｂ，２５Ｂ  …第２部分γ線検出部
１３Ｃ，２４Ｃ，２５Ｃ                …第３部分γ線検出部
２                                    …平面像用エミッションデータ収集部
３                                    …平面像用画像取得部
１４                                  …断層像用エミッションデータ収集部
１５                                  …断層像用画像取得部
Ｍ                                    …被検体
【図１】
2007163373.tif 000003
【図２】
2007163373.tif 000004
【図３】
2007163373.tif 000005
【図４】
2007163373.tif 000006
【図５】
2007163373.tif 000007
【図６】
2007163373.tif 000008
【図７】
2007163373.tif 000009
【図８】
2007163373.tif 000010
【図９】
2007163373.tif 000011
【図１０】
2007163373.tif 000012